(57)【特許請求の範囲】
【請求項１】
利用者のスケジュールが記載された予定表を記憶する予定表記憶手段と、
前記予定表に新たに登録しようとする予定の件名および目的地から、その目的地が屋内か屋外かを判定する屋内外判定手段と、
前記屋内外判定手段により屋内と判定された場合に、前記予定表に新たに登録しようとする予定の目的地の天気予報を表示せず、前記屋内外判定手段により屋外と判定された場合に、前記予定表に新たに登録しようとする予定の目的地の所定期間の天気予報を、ネットワーク上の天気予報サーバーから取得して表示する天気予報表示手段と、
前記屋内外判定手段により屋内と判定された場合に、ユーザーに指定された日または日時を、前記件名および目的地と共に、新たな予定として前記予定表記憶手段に記憶されている予定表に登録し、前記屋内外判定手段により屋外と判定された場合に、前記天気予報表示手段の表示する天気予報上で指定された日または日時、あるいは指定された条件の天気が予報されている日または日時を、前記件名および目的地と共に、新たな予定として前記予定表記憶手段に記憶されている予定表に登録する予定登録手段と
を備えることを特徴とするスケジュール管理装置。
【請求項２】
利用者のスケジュールが記載された予定表を記憶する予定表記憶手段と、
前記予定表に新たに登録しようとする予定の目的地として地域が指定されている場合には、その地域内で該予定の件名に適合する１以上の目的地候補のそれぞれの天気予報を、ネットワーク上の天気予報サーバーから取得して表示する天気予報表示手段と、
前記天気予報表示手段の表示する天気予報上で指定された日または日時、あるいは指定された条件の天気が予報されている日または日時を、前記件名および目的地と共に、新たな予定として前記予定表記憶手段に記憶されている予定表に登録する予定登録手段と
を備え、
前記予定登録手段は、前記１以上の目的地候補から選択された１つを目的地として、予定表に予定を登録することを特徴とするスケジュール管理装置。
【請求項３】
請求項１に記載のスケジュール管理装置において、
指定されている目的地が屋外であり、地域である場合には、
前記天気予報表示手段は、その地域内で件名に適合する１以上の目的地候補のそれぞれの天気予報を表示し、
前記予定登録手段は、前記１以上の目的地候補から選択された１つを目的地として、予定表に予定を登録する
ことを特徴とするスケジュール管理装置。
【請求項４】
請求項１から３のいずれか１項に記載のスケジュール管理装置において、前記予定表記憶手段に記憶されている予定表に登録されている予定について、その予定の目的地および日または日時の更新された天気予報を前記天気予報サーバーから取得し、その予定を登録するときに指定された天気の条件と現在予報されている天気とが異なるときには、その旨を予報天気変化情報として利用者に通知する手段を備えることを特徴とするスケジュール管理装置。
【請求項５】
請求項４に記載のスケジュール管理装置において、
前記予定登録手段は、予定と共に、その予定に対して利用者が設定した天気の許容範囲を、前記予定表記憶手段に記憶されている予定表に登録し、
前記通知する手段は、前記現在予報されている天気が前記許容範囲から外れたときに、前記予報天気変化情報を利用者に通知する
ことを特徴とするスケジュール管理装置。
【請求項６】
請求項４または５に記載のスケジュール管理装置において、前記通知する手段は、前記予報天気変化情報と共に、当該予定に対して指定された条件の天気が予報されている代替の日または日時の候補を利用者に通知することを特徴とするスケジュール管理装置。
【請求項７】
請求項１から６のいずれか１項に記載のスケジュール管理装置において、
前記予定表記憶手段には、主催者および同行者のそれぞれの予定表が記憶され、
前記天気予報表示手段は、主催者および同行者のそれぞれの予定表上で共に予定が登録されていない日または日時を選択して表示する
ことを特徴とするスケジュール管理装置。
【請求項８】
予定表記憶手段に記憶されている利用者のスケジュールが記載された予定表に新たに登録しようとする予定の目的地が屋内か屋外かを判定し、
該目的地が屋内と判定された場合に、該目的地の天気予報を表示せず、
該目的地が屋外と判定された場合に、該目的地の天気予報を、ネットワーク上の天気予報サーバーから取得して表示手段に表示し、
該目的地が屋内と判定された場合に、ユーザーに指定された日または日時を、該予定の件名および目的地と共に、新たな予定として予定表に登録し、該目的地が屋外と判定された場合に、前記表示手段に表示されている天気予報上で指定された日または日時、あるいは指定された条件の天気が予報されている日または日時を、前記件名および目的地と共に、新たな予定として、予定表に登録する
ことを特徴とするスケジュール管理方法。
【請求項９】
予定表記憶手段に記憶されている利用者のスケジュールが記載された予定表に新たに登録しようとする予定の目的地として地域が指定されている場合には、その地域内で該予定の件名に適合する１以上の目的地候補のそれぞれの天気予報を、ネットワーク上の天気予報サーバーから取得して表示手段に表示し、
前記表示手段に表示されている天気予報上で指定された日または日時、あるいは指定された条件の天気が予報されている日または日時を、前記件名および前記１以上の目的地候補から選択された目的地と共に、新たな予定として、予定表に登録する
ことを特徴とするスケジュール管理方法。
【請求項１０】
コンピューターにインストールされることにより、そのコンピューターを、
利用者のスケジュールが記載された予定表を記憶する予定表記憶手段、
前記予定表に新たに登録しようとする予定の件名および目的地から、その目的地が屋内か屋外かを判定する屋内外判定手段、
前記屋内外判定手段により屋内と判定された場合に、前記予定表に新たに登録しようとする予定の目的地の天気予報を表示せず、前記屋内外判定手段により屋外と判定された場合に、前記予定表に新たに登録しようとする予定の目的地の所定期間の天気予報を、ネットワーク上の天気予報サーバーから取得して、表示する天気予報表示手段、および
前記屋内外判定手段により屋内と判定された場合に、ユーザーに指定された日または日時を、前記件名および目的地と共に、新たな予定として前記予定表記憶手段に記憶されている予定表に登録し、前記屋内外判定手段により屋外と判定された場合に、前記天気予報表示手段の表示する天気予報上で指定された日または日時、あるいは指定された条件の天気が予報されている日または日時を、前記件名および目的地と共に、新たな予定として前記予定表記憶手段に記憶されている予定表に登録する予定登録手段
として動作させることを特徴とするスケジュール管理プログラム。
【請求項１１】
コンピューターにインストールされることにより、そのコンピューターを、
利用者のスケジュールが記載された予定表を記憶する予定表記憶手段、
前記予定表に新たに登録しようとする予定の目的地として地域が指定されている場合には、その地域内で該予定の件名に適合する１以上の目的地候補のそれぞれの天気予報を、ネットワーク上の天気予報サーバーから取得して、表示する天気予報表示手段、および
前記天気予報表示手段の表示する天気予報上で指定された日または日時、あるいは指定された条件の天気が予報されている日または日時を、前記件名および目的地と共に、新たな予定として前記予定表記憶手段に記憶されている予定表に登録する予定登録手段
として動作させ、
前記予定登録手段は、前記１以上の目的地候補から選択された１つを目的地として、予定表に予定を登録することを特徴とするスケジュール管理プログラム。
【発明の詳細な説明】
【技術分野】
【０００１】
本発明は、スケジュール管理装置、スケジュール管理方法およびプログラムに関する。
【背景技術】
【０００２】
スマートフォンを含む携帯電話や、iＰａｄ（登録商標）などのタブレット端末、携帯情報端末、パーソナルコンピュータ（ＰＣ）などの多くには、利用者のスケジュール管理を手助けするため、スケジュール管理機能が搭載されている。また、特許文献１には、スケジュール管理と組み合わせて、指定時間における外出先の天気予報データを取得し、雨が降る場合は、「傘を用意してください」などのアドバイスを行う技術が記載されている。
【先行技術文献】
【特許文献】
【０００３】
【特許文献１】特開２００２−３１８９６２号公報
【発明の概要】
【発明が解決しようとする課題】
【０００４】
特許文献１に記載の技術では、スケジュール管理機能を利用し、そのスケジュール管理機能にあらかじめ登録された予定に沿って行動する利用者に、アドバイスを与えることができる。しかし、スケジュール管理機能そのものについて、利用者の予定を立てる際のサポートを行うものではない。
【０００５】
本発明は、利用者が外出予定を立てる際の利便性を高めることのできるスケジール管理装置スケジュール管理装置、スケジュール管理方法およびプログラムを提供することを目的とする。
【課題を解決するための手段】
【０００６】
本発明の第１の観点によると、利用者のスケジュールが記載された予定表を記憶する予定表記憶手段と、予定表に新たに登録しようとする予定の目的地の所定期間の天気予報を、ネットワーク上の天気予報サーバーから取得して、表示する天気予報表示手段と、天気予報表示手段の表示する天気予報上で指定された日または日時、あるいは指定された条件の天気が予報されている日または日時を、件名および目的地と共に、新たな予定として予定表記憶手段に記憶されている予定表に登録する予定登録手段とを備えることを特徴とするスケジュール管理装置が提供される。
【０００７】
利用者がスケジュール管理装置で外出予定を立てる際に、その目的地の天気予報を表示する。これにより、予測される天気に応じて、利用者が予定を立てることができる。天気により作業の進捗が左右される業務や、行楽の予定の決定に利用して特に便利である。
【０００８】
予定表に新たに登録しようとする予定の件名および目的地から、その目的地が屋内か屋外かを判定する屋内外判定手段を備え、天気予報表示手段は、屋内外判定手段により屋外と判定された場合に、天気予報の取得および表示を行うことが望ましい。目的地が屋内の場合には基本的に天気予報は不要であり、屋外のときだけ天気予報が表示されるので、利用者に便利である。
【０００９】
天気予報表示手段は、指定された条件に合致する日または日時の天気予報を選択的に表示させる条件指定手段を有することが望ましい。指定された条件に適合しない日または日時が表示されないので、利用者の利便性が高くなる。また、そのような日または日時を誤って選択する可能性を低くできる。
【００１０】
条件としては、天気、降水確率および予定表記憶手段に記憶されている予定表上で予定が登録されていない日または日時から選択される１以上を含むことができる。天気や降水確率、使用者のスケジュールが空いている日など、最適の条件で予定を立てることができる。
【００１１】
予定表記憶手段に記憶されている予定表に登録されている予定について、その予定の目的地および日または日時の更新された天気予報を天気予報サーバーから取得し、その予定を登録するときに指定された天気の条件と現在予報されている天気とが異なるときには、その旨を予報天気変化情報として利用者に通知する手段を備えることができる。予報が変わったときには、それを利用者に通知することができるので、利用者は、予定を見直すことができる。
【００１２】
予定登録手段は、予定と共に、その予定に対して利用者が設定した天気の許容範囲を、予定記憶手段に記憶されている予定表に登録し、通知する手段は、現在予報されている天気が許容範囲から外れたときに、予報天気変化情報を利用者に通知することができる。天気予報が変わったときでも、ある程度であれば、予定を見直す必要はない。どの程度変化したら予定を見直す必要があるかを利用者があらかじめ設定しておくことで、不必要な通知を減らすことができる。
【００１３】
通知する手段は、予報天気変化情報と共に、当該予定に対して指定された条件の天気が予報されている代替の日または日時の候補を利用者に通知することが望ましい。これにより、利用者が代替日を速やかに決定できる。
【００１４】
予定表記憶手段には、主催者および同行者のそれぞれの予定表が記憶され、天気予報表示手段は、主催者および同行者のそれぞれの予定表上で共に予定が登録されていない日または日時を選択して表示することもできる。これにより、主催者および同行者の互いのスケジュールが空いている日または日時に合わせて、予定を立てることができる。
【００１５】
目的地として地域が指定されている場合には、天気予報表示手段は、その地域内で件名に適合する１以上の目的地候補のそれぞれの天気予報を表示し、予定登録手段は、１以上の目的地候補から選択された１つを目的地として、予定表に予定を登録することができる。特に行楽の予定を立てる際など、目的（件名）とおおよその場所だけ決めて、その目的に合致し、かつ天気が最適の目的地を決定することができる。
【００１６】
本発明の第２の観点によると、予定表記憶手段に記憶されている利用者のスケジュールが記載された予定表に新たに登録しようとする予定の目的地の所定期間の天気予報を、ネットワーク上の天気予報サーバーから取得して表示手段に表示し、表示手段に表示されている天気予報上で指定された日または日時、あるいは指定された条件の天気が予報されている日または日時を、件名および目的地と共に、新たな予定として、予定表記憶手段に記憶されている予定表に登録することを特徴とするスケジュール管理方法が提供される。
【００１７】
本発明の第３の観点によると、コンピューターにインストールされることにより、そのコンピューターを、利用者のスケジュールが記載された予定表を記憶する予定表記憶手段、予定表に新たに登録しようとする予定の目的地の所定期間の天気予報を、ネットワーク上の天気予報サーバーから取得して、表示する天気予報表示手段、および天気予報表示手段の表示する天気予報上で指定された日または日時、あるいは指定された条件の天気が予報されている日または日時を、件名および目的地と共に、新たな予定として予定表記憶手段に記憶されている予定表に登録する予定登録手段として動作させることを特徴とするスケジュール管理プログラムが提供される。
【図面の簡単な説明】
【００１８】
【図１】本発明の第１の実施の形態に係る携帯端末および天気予報サーバーを示すブロック構成図である。
【図２】図１に示す携帯端末における予定登録処理の一例を説明するフローチャートである。
【図３】スケジュール画面の表示例を示す図である。
【図４】新規予定登録画面の表示例を示す図である。
【図５】図４に示す新規予定登録画面に件名および目的地（場所）を入力した後の画面表示例を示す図である。
【図６】図５に示す画面で天気予報の１つを選択した後の画面表示例を示す図である。
【図７】図６に示す画面に付随して表示される時刻選択画面の表示例を示す図である。
【図８】図７に示す時刻選択画面で時刻を設定した後の画面表示例を示す図である。
【図９】本発明の第２の実施の形態に係る携帯端末および天気予報サーバーを示すブロック構成図である。
【図１０】図９に示す携帯端末における予定登録処理の一例を説明するフローチャートである。
【図１１】新規予定登録画面に件名および目的地を入力した後の画面表示例を示す図である。
【図１２】図１１に示す画面において「条件」ボタンを押した後の画面表示例を示す図である。
【図１３】図１２に示す画面において条件を設定した後の画面表示例を示す図である。
【図１４】第３の実施の形態における予定登録処理の一例を説明するフローチャートである。
【図１５】図１２に示す画面において条件を設定した後の画面表示例を示す図である。
【図１６】図１５に示す画面において「アラーム設定」ボタンを押した後の画面表示例を示す図である。
【図１７】アラーム通知の一例を示す図である。
【図１８】第４の実施の形態における予定登録処理の一例を説明するフローチャートである。
【図１９】本発明の第５の実施の形態に係る携帯端末、天気予報サーバーおよび予定表管理サーバーを示すブロック構成図である。
【図２０】本発明をコンピューターで実施する場合のブロック構成例を示す図である。
【発明を実施するための形態】
【００１９】
以下、図面を参照して、本発明の実施の形態について説明する。以下では、本発明を、携帯電話、タブレット端末、携帯情報端末、携帯型ＰＣなどの携帯端末で実施する場合を例に説明する。
【００２０】
［第１の実施の形態］
図１は、本発明の第１の実施の形態に係る携帯端末１０および天気予報サーバー２０を示すブロック構成図である。携帯端末１０は、機能ブロックとして、入力部１１、画像表示部１２、予定表記憶部１３、屋内外判定部１４、天気予報表示処理部１５、予定登録部１６、予定表管理部１７およびネットワーク・インターフェース（ＮＷ  Ｉ／Ｆ）１８を備える。
【００２１】
入力部１１は、キーボード、ポインティングデバイス、タッチパネルなどで構成される。利用者が入力部１１を操作することにより、携帯端末１０にデータが入力される。画像表示部１２は、液晶表示装置等により構成され、利用者に対する画像表示を行う。
【００２２】
予定表記憶部１３は、予定表記憶手段として、利用者のスケジュールが記載された予定表を記憶する。屋内外判定部１４は、屋内外判定手段として動作し、予定表に新たな予定として登録する件名および目的地から、その目的地が屋内か屋外かを判定する。天気予報表示処理部１５は、画像表示部１２と共に天気予報表示手段として動作し、屋内外判定部１４により屋外と判定された場合に、予定表に新たに登録しようとする予定の目的地の所定期間の天気予報を、ネットワーク・インターフェース１８を介してネットワーク上の天気予報サーバー２０から取得し、画像表示部１２に表示させる。予定登録部１６は、予定登録手段として動作し、天気予報表示処理部１５が画像表示部１２に表示させる天気予報上で入力部１１により指定された日または日時、あるいは指定された条件の天気が予報されている日または日時を、件名および目的地と共に、新たな予定として、予定表記憶部１３に記憶されている予定表に登録する。
【００２３】
予定表管理部１７は、予定表記憶部１３に記憶されている予定表を管理し、その予定表を画像表示部１２に表示させ、また、画像表示部１２あるいは図外のスピーカーを介して、予定表に基づく警告や利用者への通知を行う。ネットワーク・インターフェース１８は、無線を介してネットワークに接続され、ネットワーク上の天気予報サーバー２０との間で通信を行う。なお、図１では、簡単のため、ネットワーク・インターフェース１８と天気予報サーバー２０とが直接接続されるように示している。
【００２４】
［予定登録処理］
図２は、図１に示す携帯端末１０における予定登録処理の一例を説明するフローチャートである。
【００２５】
新規の予定を作成する場合、予定表管理部１７は、画像表示部１２に入力画面を表示させ、入力部１１から、件名と目的地の入力を受け付ける（ステップＳ１）。屋内外判定部１４は、入力された件名と目的地とから、その目的地が屋内か屋外かを判定する（ステップＳ２）。
【００２６】
屋外と判定されると（ステップＳ２でＹ）、天気予報表示処理部１５は、目的地のたとえば１週間の天気予報を取得し、画像表示部１２に日別天気予報を表示させる（ステップＳ３）。この表示を、入力部１１から日付が入力されるまで続ける（ステップＳ３でＮ）。入力部１１から日付が入力されると（ステップＳ４でＹ）、天気予報表示処理部１５は、その日付の時別天気予報を表示し（ステップＳ５）、入力部１１からの時刻指定を受け付ける（ステップＳ６）。
【００２７】
ステップＳ２で屋内と判定された場合には、天気予報表示処理部５６による天気予報の表示は行わず、予定表管理部１７が画像表示部１２に表示させている入力画面によって、入力部１１から、日時の入力を受け付ける（ステップＳ７）。
【００２８】
ステップＳ６、Ｓ７において時刻指定が行われない場合には、予定を日だけで指定されたものとする。以上の入力により、件名、目的地、日または日時が決定する。予定登録部１６は、これらを新たな予定として、予定表記憶部１３に記憶されている予定表に登録する（ステップＳ８）。
【００２９】
［画面表示および入力例］
図３は、画面表示部１２へのスケジュール画面の表示例（スケジュール画面１０１）を示す図である。予定表管理部１７は、利用者による入力部１１からの入力指示に従って、予定表記憶部１３に記憶されている予定表を、画像表示部１２に表示する。図３には、２月の予定表の例を示す。このスケジュール画面１０１にはまた、「新規予定」ボタンが設けられている。このボタンを押す（ポインティングデバイスによるクリック、あるいはタッチパネル上でタッチ）と、新規の予定を入力するための画面に切り替わり、図２に示すフローに従って、新規の予定を登録することができる。
【００３０】
図４は、図３に示す画面で「新規予定」を選択することで表示される新規予定登録画面の表示例（新規予定登録画面１０２）を示す図である。この新規予定登録画面１０２には、件名、目的地の場所、開始日時および終了日時を入力する欄が設けられ、さらに、メモの欄が設けられる。ここで、たとえば、件名として「スキー」、場所として「野麦峠」を入力したとする（図２のフローにおけるステップＳ１）。
【００３１】
図５は、図４に示す新規予定登録画面１０２に件名および目的地（場所）を入力した後の画面表示例（画面１０３）を示す図である。件名が「スキー」、場所が「野麦峠」であることから、この場所は屋外であることがわかる（図２のフローにおけるステップＳ２でＹ）。この場合には、目的地の所定期間の天気予報が、画面１０３内に表示される（図２のフローにおけるステップＳ３）。この天気予報の表示から、利用者が日を指定することができる。件名が「スキー」であっても、場所が屋内スキー場である場合には、天気予報は表示されない。また、たとえばコンサートであっても、場所が屋外のコンサート会場である場合には、天気予報が表示される。
【００３２】
図６は、図５に示す画面で天気予報の１つを選択した後の画面表示例（画面１０４）を示す図である。ここで、図５に示す画面１０３において、２月１日の天気のアイコンが利用者により選択されたとする。この選択により、図６に示す画面１０４の「開始」の欄および「終了」の欄に、２／１の日付が入力される（図２のフローにおけるステップＳ４でＹ）。複数の日にまたがって天気のアイコンをなぞった場合には、その開始の日が「開始」の欄に入力され、終了の日が「終了」の欄に入力される。天気のアイコンをなぞるのではなく、「開始」の欄および「終了」の欄に直接日付を入力してもよい。
【００３３】
図７は、図６に示す画面に付随して表示される時刻選択画面の表示例（時刻選択画面１０５）を示す図である。日付が入力されると、その日の時別天気予報が、時刻選択画面１０５として表示される（図２のフローにおけるステップＳ５）。この時刻選択画面１０５において、開始から終了までの時刻指定が受け付けられる（図２のフローにおけるステップＳ６）。時間範囲が指定され、「決定」ボタンが押されると、日時が確定する。
【００３４】
図８は、図７に示す時刻選択画面で時刻を設定した後の画面表示例（画面１０６）を示す図である。時刻選択画面１０５で時刻が指定されることにより、予定として必要な事項の入力が完了する。また、利用者が必要とする場合には、メモ欄に任意の事項を記入することができる。図示を省略する「決定」あるいは「終了」などのボタンを押すと、入力された事項が、新たな予定として登録される。このとき、画面が図３のスケジュール画面１０１に戻り、登録された予定が当該日の欄に表示される。
【００３５】
［第１の実施の形態の効果］
以上説明した実施の形態によれば、利用者が外出予定を立てる際に、外出先（目的地）が屋外は判定されると、その目的地の天気予報を表示することができる。これにより、予測される天気に応じて、利用者が予定を立てることができる。天気により作業の進捗が左右される業務や、行楽の予定の決定に利用して特に便利である。
【００３６】
［第２の実施の形態］
図９は、本発明の第２の実施の形態に係る携帯端末３０および天気予報サーバー２０を示すブロック構成図である。この携帯端末３０は、天気予報表示処理部１５の代わりに天気予報表示処理部３１を備え、この天気予報表示処理部３１に、条件指定処理部３２を備えることが、図１に示す実施の形態における携帯端末１０と異なる。条件指定処理部３２は、指定された条件に合致する日または日時の天気予報を選択的して表示させる条件指定手段を構成する。
【００３７】
天気予報表示処理部３１の基本的な動作は、上述した天気予報表示処理部１５の動作と同等である。異なる点は、条件指定処理部３２を備え、指定された条件に合致する日または日時の天気予報を選択的して表示させることができる点である。このような条件としては、天気、降水確率、予定表上で予定が登録されていない日または日時、などから１以上を選択することができる。
【００３８】
［予定登録処理］
図１０は、図９に示す携帯端末３０における予定登録処理の一例を説明するフローチャートである。基本的な処理は、図２に示したものと同等であり、以下では、異なる点を主に説明する。
【００３９】
件名と目的地が入力され（ステップＳ１）、目的地が屋外と判定される（ステップＳ２）と、天気予報表示処理部３１は、画像表示部１２に、日別天気予報を表示させる（ステップＳ３）。このとき、条件指定処理部３２は、入力部１１からの天気等の条件指定を受け付ける（ステップＳ１１）。指定がある場合（ステップＳ１１でＹ）には、指定された条件に合致する日の天気予報を、選択的に画像表示部１２に表示させる（ステップＳ１２）。条件指定がない場合（ステップＳ１１でＮ）には、ステップＳ１２をスキップする。以上の天気予報の表示を、入力部１１から日付が入力されるまで続ける（ステップＳ３でＮ）。入力部１１から日付が入力されると（ステップＳ４でＹ）、天気予報表示処理部３１は、その日付の時別天気予報を表示し（ステップＳ１３）、入力部１１からの時刻指定を受け付ける（ステップＳ６）。ステップＳ１３の時別天気予報表示において、天気の条件指定がある場合には、その条件にあう時間だけを選択できるような表示とする。ステップＳ６において時刻が指定されると、予定登録部１６は、件名、目的地、日または日時からなる予定を、指定された天気の条件と共に、予定表記憶部１３に記憶されている予定表に登録する（ステップＳ１４）。
【００４０】
ステップＳ２で屋内と判定された場合、予定登録部１６は、入力部１１から日時の入力を受け付け（ステップＳ７）、件名、目的地、日または日時からなる予定を、予定表記憶部１３に記憶されている予定表に登録する（ステップＳ８）。
【００４１】
［画面表示および入力例］
図１１は、新規予定登録画面に件名および目的地（場所）を入力した後の画面表示例（画面１０７）を示す図である。本実施の形態において、画面表示部１２へ表示されるスケジュール画面および新規予定登録画面としては、図３および図４に示したものと同じ画面が用いられる。図４に示す新規予定登録画面１０２に件名および目的地が入力され、その目的地が屋外であること判断されると、目的地の所定期間の天気予報が、画面１０７内に表示される（図１０のフローにおけるステップＳ３）。また、その天気予報の近くに、「条件」ボタンが表示される。
【００４２】
図１２は、図１１に示す画面１０７で「条件」ボタンを押した後の画面表示例（画面１０８）を示す図である。この画面１０８には、設定できる条件として、「晴れ」、「曇り」、「雨」、「雪」、「降水確率」、「空いている日」が示される。利用者は、これらの条件のいずれかを選択することができる。いずれも選択しないこともでき、また、複数を選択することもできる。「降水確率」が選択された場合には、その値およびその範囲を設定することができる。また、「空いている日」が選択された場合には、予定表記憶部１３に記憶されている予定表に予定が登録されていない日が条件として設定される。
【００４３】
また、予定表記憶部１３に複数の予定表が記憶されている場合には、主催者と同行者の予定が空いている日を条件とすることもできる。すなわち、「空いている日」の近傍に「同行者あり」のボタンを設け、同行者を指定できるようにする。そして、「空いている日」が選択され、同行者が指定されると、条件指定処理部３２は、予定表記憶部１３に記憶された予定表から主催者と同行者のそれぞれの予定表を参照し、それぞれの予定表上で共に予定が登録されていない日時を選択して、画像表示部１２に表示させる。
【００４４】
図１３は、図１２に示す画面１０８において条件を設定した後の画面表示例（画面１０９）を示す図である。ここでは、条件として降水確率２０％以下が設定された場合の例を示す。この場合、降水確率が２０％の日だけの天気予報が表示され、他の日を選択することができなくなっている。この画面１０９の天気予報の表示から、利用者が日を指定することができ、図６に示すような画面１０４となる。ただし、天気予報が表示されている日は、上述の条件に従う。この後、第１の実施の形態と同様に時刻指定などの処理が行われ、予定が登録される。このときの予定には、予定の登録後に天気予報が変わったときのために、指定された天気の条件が付加される。
【００４５】
［第２の実施の形態の効果］
本実施の形態によれば、第１の実施の形態と同様の効果に加え、指定された条件に適合しない日または日時が表示されないので、利用者の利便性が高くなる。また、そのような日または日時を誤って選択する可能性を低くできる。
【００４６】
また、空いている日を選択できるようにすることで、利用者のスケジュールが空いている日または日時に合わせて、予定を立てることができる。さらに、同行者を選択できるようにすることで、主催者および同行者の互いのスケジュールが空いている日または日時に合わせて、予定を立てることができる。
【００４７】
［第３の実施の形態］
図１に示す携帯端末１０または図９に示す携帯端末３０において、予定表管理部１７は、予定表記憶部１３に記憶されている予定表に登録されている予定について、その予定の目的地および日または日時の更新された天気予報を天気予報サーバー２０から取得し、その予定を登録するときに指定された天気の条件と現在予報されている天気とが異なるときには、その旨を予報天気変化情報として利用者に通知する手段として動作することができる。
【００４８】
たとえば第１の実施の形態における携帯端末１０の場合、予定表管理部１７は、予定表が登録された日の天気予報を蓄え、その後に天気予報に変化があった場合に、利用者に通知する。ただし、この場合には、予定表管理部１７に過去の天気予報を蓄えておく必要があり、また、天気予報に変化があるたびに利用者に通知があるので、利用者に煩わしさを感じさせる可能性がある。
【００４９】
一方、第２の実施の形態における携帯端末３０では、登録される予定に天気の条件を付加できるので、その条件を利用して、予報天気変化情報を利用者に通知することができる。そのような実施の形態を第３の実施の形態として以下に説明する。
【００５０】
図１４は、第３の実施の形態における予定登録処理の一例を説明するフローチャートである。ステップＳ１からステップＳ６までの処理、およびステップＳ７、Ｓ８の処理は、図１０に示す第２の実施の形態における処理と同じである。
【００５１】
ステップＳ６の時刻指定の受け付けの後、予定表管理部１７は、アラーム指定を受け付ける。アラーム指定がない場合には、図１０のフローと同様に、予定表に、指定された天気の条件と共に、予定を登録する（ステップＳ１４）。アラーム指定がある場合（ステップＳ２１でＹ）には、予定表管理部１７は、アラーム設定を受け付ける（ステップＳ２２）。予定登録部１６は、予定と共に、その予定に対して利用者がアラーム設定した天気の許容範囲を、予定表記憶部１３に記憶されている予定表に登録する（ステップＳ２３）。
【００５２】
これにより予定表管理部１７は、通知する手段として、現在予報されている天気が許容範囲から外れたときに、予報天気変化情報を利用者に通知することができる。この通知では、予報天気変化情報と共に、当該予定に対して指定された条件の天気が予報されている代替の日または日時の候補を利用者に通知することができる。
【００５３】
［画面表示および入力例］
図１５は、図１２に示す画面１０８において条件を設定した後の画面表示例（画面１１０）を示す図である。ここでは、図１３の画面１０９と同様に、条件として降水確率２０％以下が設定された場合の例を示す。降水確率が２０％の日だけの天気予報が表示され、「アラーム設定」ボタンが表示される。
【００５４】
図１６は、図１５に示す画面１１０において「アラーム設定」ボタンを押した後の画面表示例（アラーム設定画面１１１）を示す図である。このアラーム設定画面１１１では、「天気が変わったとき」、「良くなったとき」、「悪くなったとき」、「降水（降雪）確率」、「フィルタリング条件に合わなくなったとき」というアラーム設定の条件が選択できる。「降水（降雪）確率」については、パーセンテージで増減を指定できる。「フィルタリング条件」とは、図１２に示す画面１０８で設定された条件である。アラーム設定画面１１１ではさらに、どのような方法で通知するかという通知方法を選択することができる。この通知方法としては、同じソフトでスケジュール表にアラーム表示を行う、あらかじめ登録されているアドレスにメールを送る、などが選択できる。「取消」ボタンによりアラーム設定を取り消すことができ、「設定」ボタンにより、アラーム設定を完了することができる。
【００５５】
図１７は、アラーム通知の一例（アラーム通知１１２）を示す図である。たとえば、図３に示すスケジュール画面１０１の上に重ねて、アラーム通知１１２を表示する。このアラーム通知には、予定の日の条件の変化と、条件にあう代替日の候補とが示される。
【００５６】
［第３の実施の形態の効果］
上述の実施の形態では、天気予報に基づいて予定を立てているので、その予報が変わると、予定そのものを見直す必要がある可能性がある。本実施の形態によれば、天気予報をウォッチングし、予報が変わったときには、それを利用者に通知して、予定を見直す助けとすることができる。
【００５７】
また、天気予報が変わったときでも、ある程度であれば、予定を見直す必要はない。どの程度変化したら予定を見直す必要があるかを利用者があらかじめ設定しておくことで、不必要な通知を減らすことができる。また、通常の天気予報は１週間程度しかないが、それより先の予定を立てておき、１週間前になったときの天気予報から、予定をどうするかを決めることもできる。
【００５８】
さらに、アラーム通知で代替日の候補を示すことで、利用者が代替日を速やかに決定できる。
【００５９】
［第４の実施の形態］
上述の実施の形態において、目的地として、特定の場所ではなく、甲信越、関東、長野県、東京、松本など、ある程度の広がりをもつ地域を指定することもできる。そのような場合の処理例を、図１に示す携帯端末１０で実施する場合を例に、第４の実施の形態として説明する。
【００６０】
図１８は、第４の実施の形態における予定登録処理の一例を説明するフローチャートである。この予定登録処理の基本的なフローは図２に示すものと同等であるが、ステップＳ２で屋外と反対された場合の処理が少し異なる。すなわち、屋外と判定された後、目的地として地域が指定されているか否かを判定する（ステップＳ３１）。地域指定でない場合（ステップＳ３１でＮ）には、図２と同じ処理（ステップＳ３〜Ｓ８）を実行する。地域が指定されている場合（ステップＳ３１でＹ）には、天気予報表示処理部１５は、その地域内で件名に適合する１以上の目的地候補のそれぞれの天気予報を表示する（ステップＳ３２）。入力部１１の操作により目的地が選択され、日付が指定されると（ステップＳ３３）、図２に示すフローと同様に、ステップＳ５以降の処理が行われる。予定登録部１６は、ステップＳ８において、目的地候補から選択された１つを目的地として、予定表に予定を登録する。
【００６１】
ここでは、図１に示す携帯端末１０で地域指定の処理を実施する場合を例に説明したが、図９に示す携帯端末３０でも、図１０または図１４のフローチャートに同様の変更を施すことで、同様に実施できる。
【００６２】
［第４の実施の形態の効果］
本実施の形態では、地域の指定を許容し、その地域で候補地を示して天気予報を示すようにしている。これにより、特に行楽の予定を立てる際など、目的（件名）とおおよその場所だけ決めて、その目的に合致し、かつ天気が最適の目的地を決定することができる。
【００６３】
［第５の実施の形態］
図１９は、本発明の第５の実施の形態に係る携帯端末４０，４１、天気予報サーバー２０および予定表管理サーバー５０を示すブロック構成図である。この実施の形態は、複数の利用者の予定表を共通の予定表管理サーバー５０で管理することが、図１に示す第１の実施の形態と異なる。
【００６４】
携帯端末４０は、機能ブロックとして、入力部１１、画像表示部１２、屋内外判定部１４、天気予報表示処理部１５、予定登録部１６、予定表管理部１７およびネットワーク・インターフェース１８を備える。簡略化のため図示を省略するが、携帯端末４１も同等の構成をもつ。携帯端末４０，４１は、予定表管理サーバー５０とは別に、個別の予定表記憶部を備えることもできる。
【００６５】
この構成において、予定登録部１６は、ネットワーク・インターフェース１８を介して予定表管理サーバー５０にアクセスし、新たな予定を定表管理サーバー５０に記憶されている予定表に登録する。予定表管理部１７は、ネットワーク・インターフェース１８を介して予定表管理サーバー５０にアクセスし、予定表管理サーバー５０に記憶されている予定表を管理する。それ以外の各部の動作は、第１の実施の形態における携帯端末１の対応する各部の動作と同等であり、ここでは説明を省略する。
【００６６】
ここでは、複数の利用者の予定表を共通の予定表管理サーバー５０で管理する実施の形態を、第１の実施の形態の変形例を例に説明したが、他の実施の形態を変形しても同様に実施できる。
［コンピューターによる実施］
【００６７】
以上の実施の形態では、携帯端末の構成を機能ブロックにより示したが、これらの機能ブロックは、実用的には、コンピューターのソフトウェアにより実現される。図２０に、本発明をコンピューターで実施する場合のブロック構成例を示す。
【００６８】
このコンピューターは、中央処理装置（ＣＰＵ）６１、リードオンリーメモリ（ＲＯＭ）６２、ランダムアクセスメモリ（ＲＡＭ）６３、フラッシュメモリ６４、操作入力部６５、表示部６６およびネットワーク・インターフェース（ＮＷ  Ｉ／Ｆ）６７を備える。ＲＯＭ６２には、このコンピューターを動作させるためソフトウェアが記録される。ＲＯＭ６３は、ＣＰＵ６１の動作時のデータを記憶する。フラッシュメモリ６４は、電源が切れた後も保存すべきデータを記憶する。操作入力部６５は、利用者からの入力を受け付ける。表示部６６は、ＣＰＵ６１による処理内容や、各種情報を表示する。ネットワーク・インターフェース６７は、このコンピューターをネットワークに接続する。
【００６９】
ＲＯＭ６２あるいはフラッシュメモリ６４には、利用者のスケジュールが記載された予定表を記憶する予定表記憶手段、予定表に新たに登録しようとする予定の目的地の所定期間の天気予報を、ネットワーク上の天気予報サーバーから取得して、表示する天気予報表示手段、および天気予報表示手段の表示する天気予報上で指定された日または日時、あるいは指定された条件の天気が予報されている日または日時を、件名および目的地と共に、新たな予定として予定表記憶手段に記憶されている予定表に登録する予定登録手段として動作させることをコンピュータープログラムが記録される。ＣＰＵ６１は、このコンピュータープログラムに従って動作し、上述の実施の形態で示した処理を実行する。
【００７０】
［変形例］
以上の説明では、携帯端末をスケジュール管理装置として用いる場合を例に説明した。このような携帯端末としては、スマートフォンを含む携帯電話や、タブレット端末、携帯情報端末、ノートＰＣなどが考えられる。ネットワークへの接続は、予定表を外出先でも見られるという点では無線経由が望ましいが、予定を立てるときだけを考えれば、有線による接続でもよい。また、携帯端末ではなく、デスクトップ型のＰＣや、予定表を印刷するプリンターなどでも、同様に本発明を実施することができる。
【符号の説明】
【００７１】
１０、４０、４１…携帯端末、１１…入力部、１２…画像表示部（天気予報表示手段の一部）、１３…予定表記憶部（予定表記憶手段）、１４…屋内外判定部、１５、３１…天気予報表示処理部（天気予報表示手段の一部）、１６…予定登録部（予定登録手段）、１７…予定表管理部、１８…ネットワーク・インターフェース（ＮＷ  Ｉ／Ｆ）、２０…天気予報サーバー、３２…条件指定処理部、５０…予定表管理サーバー
【図１】
0005720274.tif 000002
【図２】
0005720274.tif 000003
【図３】
0005720274.tif 000004
【図４】
0005720274.tif 000005
【図５】
0005720274.tif 000006
【図６】
0005720274.tif 000007
【図７】
0005720274.tif 000008
【図８】
0005720274.tif 000009
【図９】
0005720274.tif 000010
【図１０】
0005720274.tif 000011
【図１１】
0005720274.tif 000012
【図１２】
0005720274.tif 000013
【図１３】
0005720274.tif 000014
【図１４】
0005720274.tif 000015
【図１５】
0005720274.tif 000016
【図１６】
0005720274.tif 000017
【図１７】
0005720274.tif 000018
【図１８】
0005720274.tif 000019
【図１９】
0005720274.tif 000020
【図２０】
0005720274.tif 000021